(57)【要約】【課題】  取付パネルのスリットに回路遮断器の掛止片が確実に掛止していない状態では、取り付けた回路遮断器の外観からそれを判別できる回路遮断器を提供する。【解決手段】  取付パネル２０に取り付ける掛止片８，９が本体ケース２０の底面から下方へ突設されると共に、本体ケース４の底面から下方へ突出させて本体ケース４を取付パネル２０に固定するロック片３２を備えたロック部材３０を有し、前掛止片８を挿入する前スリット２１の端部にロック片３２を突出させて本体ケース４を取付パネル２０に固定させる。ロック片３２は、前スリット２１に掛止するロック片本体３２ａとロック片本体３２ａの下端に形成された突起３２ｂとを有し、本体ケース４の底面から突出してロック片本体３２ａを前スリット２１に掛止させるロック位置と、本体ケース４内に埋入して突起３２ｂのみ突出したアンロック位置との間を上下にスライド可能とした。【選択図】  図３
2018198138.tif 000002
【特許請求の範囲】
【請求項１】
本体ケースの背面に電源側端子が配置される一方、前記本体ケースの前面に負荷側端子が配置され、取付パネルに取り付けるための鉤状の掛止片が前記本体ケースの底面から下方へ突設されていると共に、前記本体ケースの底部に前記本体ケースの底面から下方へ突出して前記本体ケースを前記取付パネルに固定するためのロック片を備えたロック部材が設けられており、
前記取付パネルに開設されたスリットに前記掛止片を挿通させ、前記スリットの一端に前記掛止片を掛止させると共に、前記スリット内に前記ロック片を位置させて前記スリットの他端に当接させることにより前記取付パネルに固定される回路遮断器であって、
前記ロック片は、前記スリットに掛止するロック片本体と当該ロック片本体の下端に形成された突起とを有し、前記本体ケースの底面から突出して前記ロック片本体を前記スリットに掛止させるロック位置と、前記本体ケース内に埋入して前記突起のみ突出したアンロック位置との間を上下にスライド可能であることを特徴とする回路遮断器。
【請求項２】
前記ロック部材には、前記ロック位置と前記アンロック位置の双方の位置で状態を保持するための弾性手段が設けられていることを特徴とする請求項１記載の回路遮断器。
【請求項３】
前記アンロック位置における前記突起の前記本体ケースの底面からの突出量は、０．３〜１ｍｍであることを特徴とする請求項１又は２記載の回路遮断器。
【発明の詳細な説明】
【技術分野】
【０００１】
本発明は、例えば分電盤内に設置されて電路を分岐する際に使用される回路遮断器に関する。
【背景技術】
【０００２】
電源側端子を後側に配置し、負荷側端子を前側に配置した回路遮断器を分電盤内に設置する際には、取付パネルを介して行われるのが一般的である。その際、取付パネル上で後方にスライド操作して電源側端子を分電盤内の取付パネル上に配設された主幹バーに接続する操作が合わせて実施されて取り付けられる。
この回路遮断器を取付パネルに固定する従来の構造としては、取付パネルにスリットを開設すると共に、回路遮断器の底面にスリットに掛止する掛止片を設けるといった構造があり、スリットを介して掛止片を取付パネルの下側まで突出させた後、回路遮断器を後方へ押し込んでスリットに掛止させる構造が採用されている。
【０００３】
ただし、この状態のままでは回路遮断器を固定したことにはならない。そこで、例えば特許文献１に記載のように、回路遮断器に上下方向へのスライド操作によって本体ケース内へ埋入／本体ケースから突出するロックレバーを設けており、スリットと掛止片との掛止状態においてロックレバーを下方へスライドさせて本体ケースから突出させ、ロックレバーとスリットの前端とを当接させることにより、自身の前側への移動が規制されるようにしている。
【先行技術文献】
【特許文献】
【０００４】
【特許文献１】特開２０１２−２３４７１１号公報
【発明の概要】
【発明が解決しようとする課題】
【０００５】
上記特許文献１に記載の構成では、取付パネルに組み付けられた回路遮断器はロックレバーの操作により取付パネルに固定されて外れるのを防止できた。しかしながら、取付パネルのスリットに確実に掛止片が掛止していない状態を判別し難く、回路遮断器が不十分な状態で取り付けられても外見ではそれを判別しづらく、その状態を放置してしまう場合があった。
【０００６】
そこで、本発明はこのような問題点に鑑み、取付パネルのスリットに回路遮断器の掛止片が確実に掛止していない状態では、取り付けた回路遮断器の外観からそれを判別できる回路遮断器を提供することを目的としている。
【課題を解決するための手段】
【０００７】
上記課題を解決する為に、請求項１の発明は、本体ケースの背面に電源側端子が配置される一方、本体ケースの前面に負荷側端子が配置され、取付パネルに取り付けるための鉤状の掛止片が本体ケースの底面から下方へ突設されていると共に、本体ケースの底部に本体ケースの底面から下方へ突出して本体ケースを取付パネルに固定するためのロック片を備えたロック部材が設けられており、取付パネルに開設されたスリットに掛止片を挿通させ、スリットの一端に掛止片を掛止させると共に、スリット内にロック片を位置させてスリットの他端に当接させることにより取付パネルに固定される回路遮断器であって、ロック片は、スリットに掛止するロック片本体と当該ロック片本体の下端に形成された突起とを有し、本体ケースの底面から突出してロック片本体をスリットに掛止させるロック位置と、本体ケース内に埋入して突起のみ突出したアンロック位置との間を上下にスライド可能であることを特徴とする。
この構成によれば、取付パネルに固定された回路遮断器は、ロック片により前方への移動が阻止されるため回路遮断器を固定でき、外れるのを防止できる。そして、アンロック位置でも、ロック片は突起が僅かに本体ケース底部から突出した状態にあるため、回路遮断器の取り付けが不完全であれば、スリットに入っていない突起の作用により、僅かに浮いた外観の状態から回路遮断器の取り付け不良を容易に判断できる。
【０００８】
請求項２の発明は、請求項１に記載の構成において、ロック部材には、ロック位置とアンロック位置の双方の位置で状態を保持するための弾性手段が設けられていることを特徴とする。
この構成によれば、ロック部材はロック位置とアンロック位置の双方の位置で状態が保持されるため、装着操作する際扱い易い。
【０００９】
請求項３の発明は、請求項１又は２に記載の構成において、アンロック位置における突起の本体ケースの底面からの突出量は、０．３〜１ｍｍであることを特徴とする。
この構成によれば、アンロック位置でのロック部材の突出量は僅かであり、回路遮断器を取り外す際にロック片が障害となって掛止状態が外れ難くなることが無く、スムーズに抜き取りできる。
【発明の効果】
【００１０】
本発明によれば、取付パネルに固定された回路遮断器は、ロック片により前方への移動が阻止されるため回路遮断器を固定でき、外れるのを防止できる。そして、アンロック位置でも、ロック片は突起が僅かに本体ケース底部から突出した状態にあるため、回路遮断器の取り付けが不完全であれば、スリットに入っていない突起の作用により、僅かに浮いた外観の状態から回路遮断器の取り付け不良を容易に判断できる。
【図面の簡単な説明】
【００１１】
【図１】本発明に係る回路遮断器の一例を示し、取付パネルに取り付けた状態の斜視説明図である。
【図２】図１の回路遮断器の側面図である。
【図３】Ａ部拡大図であり、ロック位置にあるロック部材を透視した説明図である。
【図４】ロック部材をアンロック位置としたＡ部拡大説明図であり、ロック片がスリット上に無く、回路遮断器が浮いた状態を示している。
【図５】ロック片の突起がスリットに入り込んだ状態を示すＡ部拡大説明図である。
【発明を実施するための形態】
【００１２】
以下、本発明を具体化した実施の形態を、図面を参照して詳細に説明する。図１，２は本発明に係る回路遮断器１の一例を示し、図１は取付パネル２０に取り付けた状態の斜視説明図、図２は図１の回路遮断器１の側面図である。
回路遮断器１は、合成樹脂製の左右一対のケース部材を組み立てて成る本体ケース４の上面に、ハンドル７が前後方向へ回動操作可能に設けられている。そして、ハンドル７を回動操作することで、本体ケース４内に組み込まれている図示しない開閉機構が動作し、後述する電源側端子２と負荷側端子３との間に配設されている電路が接続／開放されるよう構成されている。また、本体ケース４内には、図示しない過電流遮断機構が設けられており、過電流を検知すると遮断動作して開閉機構が開動作するよう構成されている。
【００１３】
また、本体ケース４の後面には、プラグイン式の端子Ｐ１，Ｐ２，Ｐ３を上下方向に一列に備えて成る電源側端子２が配置されている。各端子Ｐ１〜Ｐ３は、本体ケース４を左右方向に貫通したコ字状に切り欠いて形成されており、分電盤内等に配設されている主幹バーＭ（図２に示す）や、この主幹バーから分岐された分岐バー（図示せず）を挿入接続可能となっている。
【００１４】
一方、回路遮断器１の前面には、前側に向かって下降傾斜する傾斜面が形成されており、この傾斜面には、分岐配線（図示せず）を挿入接続可能な３つの端子Ｌ１，Ｌ２，Ｌ３（なお、端子Ｌ３に関してはカバー部材１０により覆われているため図示しない）を傾斜方向へ一列に備えて成る負荷側端子３が配置されている。
各端子Ｌ１〜Ｌ３は、傾斜面に直交する内部方向へ分岐配線を挿入可能な端子孔５を有し、各端子孔の内部となる本体ケース４内には、端子孔５から挿入された分岐配線が接続される図示しない端子金具が配置されている。この端子金具は速結端子から成り、挿入された分岐配線は別途連結操作すること無く端子金具に連結される。
【００１５】
そして、本体ケース４の底面には、取付パネル２０に掛止させるための後方へ折れ曲がる鉤状に形成された一組の掛止片（前掛止片８及び後掛止片９）が下方へ突設され、本体ケース４の底部前端にはロック部材３０が配置されている。
【００１６】
図３はＡ部拡大図であり、ロック位置のロック部材３０を透視した状態を示している（図３において、ハッチングした部材がロック部材３０である）。
本体ケース４の底部前端は、下方へ開口しており、図３に示すようにロック部材３０の一部が収納されている。そして、本体ケース４前面の下部には、操作窓２６（図１に示す）が開設され、ロック部材３０を操作するための操作片３１が露出している。
【００１７】
ロック部材３０は合成樹脂で形成され、操作片３１を上端に有した起立片３０ａが本体ケース４の前面に露出しており、起立片３０ａの背部は本体ケース４内に収容されて、本体ケース４内から下方に露出するロック片３２、ロック片３２の上部で背部に上下方向にコ字状に形成された弾性片３３を備えた基台部３０ｃを有している。
そしてロック片３２は、前スリット２１の端部に当接して回路遮断器１を掛止させるロック片本体３２ａと、ロック片本体３２ａの下端に設けられた突起３２ｂとを有している。
尚、ロック部材３０は、基台部３０ｃが本体ケース４側に形成されたガイド溝（図示せず）に案内されて、前後に傾倒することなく上下方向に摺動するよう収納されている。
【００１８】
一方、本体ケース４には、本体ケース４を構成する左右一対のケース部材を連結固定するために、本体ケース４を横方向に貫通しているビス孔１０ａが設けられており、本体ケース４内にはこのビス孔１０ａを形成する筒体１０ｂが横設されている。
弾性片３３の背面中央には、この筒体１０ｂに当接する突部３３ａが設けられており、弾性片３３の弾性作用により突部３３ａが筒体１０ｂを乗り越えるよう配置されている。
この結果、ロック部材３０を上下に摺動操作した際に、途中で弾性片３３の突部３３ａが筒体１０ｂに係合し、上部位置であるアンロック位置と下部位置であるロック位置との双方でロック部材３０はその位置が保持される。
【００１９】
但し、アンロック位置でのロック部材３０は、操作窓２６の上端２６ａにより移動が規制され、ロック片３２の先端に形成された突起３２ｂのみ、引き続き下方に突出した状態を持続する（図４に示す）。図３に示すＴ１はロック片３２をロック位置に配置して突出させた場合（ロック位置に）の突出量を示し、Ｔ２はアンロック位置に移動させた場合の突起３２ｂによる突出量を示しており、例えばＴ１＝２．０ｍｍ、Ｔ２＝０．４ｍｍである。
【００２０】
また、取付パネル２０は前掛止片８を挿通可能な前スリット２１と、後掛止片９を挿通可能な後スリット２２とが開設され、前スリット２１と後スリット２２は、回路遮断器１の並設方向へ所定間隔毎に複数設けられている。尚、前スリット２１の前後長さと、ロック位置にあるロック片３２と前掛止片８の折れ曲がり部との前後方向での距離とは等しくなっている。
【００２１】
ここで、上記ロック部材３０を有する回路遮断器１の取付パネル２０への着脱操作について説明する。
先ず、前掛止片８を前スリット２１に、後掛止片９を後スリット２２にそれぞれ挿通させる。このとき、ロック部材３０のロック片３２がアンロック位置になく下方に突出した状態にあれば、ロック片３２は取付パネル２０の上面に当接して押圧され、本体ケース４に埋入し、アンロック位置に移動する。この結果、突起３２ｂのみが露出した状態となる。
図４はこのアンロック位置にロック部材３０が移動し、露出した突起３２ｂが取付パネル２０の上面に接触して回路遮断器１が浮いた状態を示している。
【００２２】
そして、掛止片８，９をスリット２１，２２に挿通したら回路遮断器１を後方に押し込み操作する。このスライド操作で、電源側端子２は取付パネル２０上に配設されている主幹バーＭが各端子Ｐ１〜Ｐ３に入り込み電源側端子２が接続される（図２に示す）。また、突起３２ｂが前スリット２１に入り込み、掛止片８，９はそれぞれスリット２１，２２の端部に掛止する。
図５は、押し込み操作によりロック片３２の突起３２ｂが前スリット２１に入り込んだ状態を示している。
【００２３】
この位置に押し込まれたら、ロック片３２は前スリット２１の端部に配置されるため、操作片３１を操作して下方にスライド操作（ロック操作）すると、ロック片本体３２ａが前スリット２１に入り込み回路遮断器１をロックし、回路遮断器１の前方への移動が禁止される。
【００２４】
こうして取り付けられた回路遮断器１の取付パネル２０からの取り外しは、逆の操作をすれば良く、操作片３１を上方へ操作して、ロック片３２をアンロック位置へ移動させる。すると、ロック片３２と前スリット２１の前端との干渉が解除される（図５に示す）。即ち、回路遮断器１の取付パネル２０への固定が解除されて、回路遮断器を前側に引き出すことが可能となる。こうして、引き出し操作することで、前掛止片８と前スリット２１との掛止状態、及び後掛止片９と後スリット２２との掛止状態が同時に解除される。尚、突起３２ｂはアンロック位置に移動しても引き続き下方に突出しているが、ロック片本体３２ａに比べて小さいため、回路遮断器１を引き出すことができる。
その後は、回路遮断器１を持ち上げることで、掛止片８，９がスリット２１，２２から抜き取られて、取り外しが成される。
【００２５】
このように、取付パネル２０に固定された回路遮断器１は、ロック片３２により前方への移動が阻止されるため回路遮断器１を固定でき、外れるのを防止できる。そして、アンロック位置でも、ロック片３２の突起３２ｂは僅かに本体ケース底部から突出した状態にあるため、回路遮断器１の取り付けが不完全であれば、前スリット２１に入っていない突起３２ｂの作用により、僅かに浮いた外観から回路遮断器１の取り付け不良を容易に判断できる。
また、弾性片３３の作用により、ロック部材３０はロック位置とアンロック位置の双方の位置で状態が保持されるため、装着操作する際扱い易い。
更に、アンロック位置でのロック部材３０の突出量は僅かであり、回路遮断器１を取り外す際にロック片３２が障害となって掛止状態が外れ難くなることが無く、スムーズに抜き取りできる。
【００２６】
尚、本発明の回路遮断器１に係る構成は、上記実施形態の態様に何ら限定されるものではなく、回路遮断器１の全体的な構造は勿論、ロック部材３０や取付パネル２０への固定に係る構成等についても、本発明の趣旨を逸脱しない範囲で、必要に応じて適宜変更することができる。
例えば、上記実施形態ではロック片３２のアンロック位置での突出量（突起３２ｂの突出量）Ｔ２を０．４ｍｍとしているが、この突出量Ｔ２は回路遮断器１の形状やスリットの形状に応じて変更されるもので、０．３〜１．０ｍｍの間であれば良好に回路遮断器１を着脱できるし、浮いた状態を判別できる。
また、本体ケース４の底面に２つの掛止片８，９を設けているが、１つであっても良い。
【符号の説明】
【００２７】
１・・回路遮断器、２・・電源側端子、３・・負荷側端子、４・・本体ケース、８・・前掛止片（掛止片）、９・・後掛止片（掛止片）、２０・・取付パネル、２０ａ・・側面、２１・・前スリット（スリット）、２２・・後スリット（スリット）、２６・・操作窓、３０・・ロック部材、３０ｂ・・垂下片、３１・・操作片、３２・・ロック片、３２ａ・・ロック片本体、３２ｂ・・突起、３３・・弾性片（弾性手段）。
【図１】
2018198138.tif 000003
【図２】
2018198138.tif 000004
【図３】
2018198138.tif 000005
【図４】
2018198138.tif 000006
【図５】
2018198138.tif 000007